(57)【要約】【課題】内容物の注出量を選択的に変更できる使い勝手のよい注出栓を提供する。【解決手段】容器の口部に固定保持され容器内の内容物を注出する注出口（１ａ）を有する基体（１）と、この基体（１）にヒンジ（ｈ）を介して揺動可能に保持され該注出口（１ａ）を開閉する蓋体（３）からなる注出栓において、前記蓋体（３）の天面に、注出口（１ａ）を通して注出する内容物よりも少ない量にして内容物を注出する吐出口（４）を設ける。【選択図】        図１
2005041506.tif 000002
【特許請求の範囲】
【請求項１】
容器の口部に固定保持され容器内の内容物を注出する注出口を有する基体と、この基体にヒンジを介して揺動可能に保持され該注出口を開閉する蓋体からなる注出栓において、
前記蓋体の天面に、注出口を通して注出する内容物よりも少ない量にして内容物を注出する吐出口を設けたことを特徴とする注出栓。
【請求項２】
前記基体は、注出口を閉塞させるプルオープンタイプの仕切り壁を有する請求項１記載の注出栓。
【請求項３】
前記蓋体は、該蓋体にヒンジを介して揺動可能に保持され吐出口を開閉する上蓋を有する請求項１又は２に記載の注出栓。
【請求項４】
前記吐出口に嵌合する凸部を有し注出栓を覆い隠して容器の肩部に着脱自在に係合するオーバーキャップを備える請求項１又は２に記載の注出栓。
【請求項５】
前記基体は、容器の口部に係合して固定保持する嵌合突条と、基体から前記嵌合突条の少なくとも一部分を切り離す切込み有する請求項１〜４の何れかに記載の注出栓。
【発明の詳細な説明】
【０００１】
【発明の属する技術分野】
本発明は容器を傾けることによって内容物を注出する注出栓に関するものであり、内容物の注出量を容器の傾動姿勢にかかわりなく選択的に変更して使い勝手のより一層の改善を図ろうとするものである。
【０００２】
【従来の技術】
ウスターソースやめんつゆ等の流動性を有する調味料を充填する容器には、調理作業中における操作性の改善を図る観点から片手でもって開閉することができるヒンジタイプの注出栓が装着されている。
【０００３】
かかる注出栓は、該注出栓の内側にプルオープンタイプの仕切り壁が設けられており、これを引きちぎり一定の面積になる開口を形成することで容器を開封するのが普通であり、容器の傾動度合いを適宜に調整することによって内容物の注出量を変更しているが、開口の形状あるいは意図しない傾動姿勢で内容物を注出した場合に内容物が必要以上に大量に注出される場合もあって、使い勝手が悪いという問題があった。
【０００４】
この点に関しては、仕切り壁を引きちぎることによって形成される開口の形状に工夫を加えたり、流量調整用の壁を設けることによって対処する試みもなされているが、未だ十分な状況にあるとは言えない（例えば特許文献１参照）。
【０００５】
【特許文献１】
実開昭６３−１１７７５６号公報
【０００６】
【発明が解決しようとする課題】
本発明の課題は、容器の傾動姿勢にかかわりなく内容物の注出量を選択的に変更できる新規な注出栓を提案するところにある。
【０００７】
【課題を解決するための手段】
本発明は、容器の口部に固定保持され容器内の内容物を注出する注出口を有する基体と、この基体にヒンジを介して揺動可能に保持され該注出口を開閉する蓋体からなる注出栓において、
前記蓋体の天面に、注出口を通して注出する内容物よりも少ない量にして内容物を注出する吐出口を設けたことを特徴とする注出栓である。
【０００８】
前記基体は、注出口を閉塞させるプルオープンタイプの仕切り壁を有するものが好ましく、該蓋体にヒンジを介して揺動可能に保持され吐出口を開閉する上蓋を配置することができる。
【０００９】
また、上記の構成になる注出栓は、前記吐出口に嵌合する凸部を有し注出栓を覆い隠して容器の肩部に着脱自在に係合するオーバーキャップを設けるようにしてもよい。
【００１０】
さらに、前記基体には、容器の口部に係合して固定保持する嵌合突条と、基体から前記嵌合突条の少なくとも一部分を切り離す切込みを設けることができる。
【００１１】
【発明の実施の形態】
以下、図面を用いて本発明をより具体的に説明する。
【００１２】
図１は本発明に従う注出栓を容器の口部に装着した実施の形態を示したものであり、図２はオーバーキャップを取り外した状態の外観斜視図である。
【００１３】
図における１は容器の口部にアンダーカットの如き係合手段ｃ（環状または断続的に形成される嵌合突条）にて固定保持される基体、２は基体１に設けられたプルオープンタイプの仕切り壁であり、この仕切り壁２のプルリング２ａを引き上げ該仕切り壁２を引きちぎることで内容物を注出する注出口１ａを形成する（図３参照）。
【００１４】
また、３は基体１にヒンジｈを介して揺動可能に保持され注出口１ａを開閉する蓋体、４は蓋体３の天面に設けられ注出口１ａを通して注出する内容物よりも少ない量にして内容物を注出する吐出口である。
【００１５】
５は注出栓の全体を覆い隠して容器の肩部にアンダーカットや螺合の如き方法にて着脱自在に係合するオーバーキャップであって、このオーバーキャップ５は吐出口４に嵌合し容器の収納時に内容物が不用意に排出されるのを防止する凸部５ａを有している。なお、本発明の実施の形態では、螺合にて係合するオーバーキャップ５を示している。
【００１６】
６は基体１に設けたれた分別用のタブで、このタブ６は基体１の周りに沿う切込み６ａを有しており、該タブ６を切込み６ａに沿って引き係合手段（嵌合突条）ｃを含む部位の少なくとも一部分を切り離すことで注出栓を容器の口部から簡単に取り外す。この切込み６ａは薄肉、スリット、切欠き溝あるいはミシン目等の構成を選択できるもので、その形成位置は係合手段（嵌合突条）ｃの上方が好ましく、その形成範囲については基体１の円周長さの１／３以上、好ましくは１／２以上の範囲設けるのがよい。なお、分別用のタブ６の形状は図示のものに限られず、把持できる形状であれば自由な形状を選択し得る。
【００１７】
容器内の内容物を一度に大量に注出する場合には、図４に示すように蓋体３を開放し注出口１ａを通して内容物を注出するが、蓋体３を閉状態にした場合には吐出口４を通して少量の内容物を注出することが可能であり、調理状況に応じた内容物の注出が可能になる。
【００１８】
図５は蓋体３にヒンジｈ１を介して揺動可能に保持され吐出口４を開閉する上蓋７を備えた本発明の他の実施の形態を示した図である。
【００１９】
かかる構造のものも、注出口１ａ、吐出口４のそれぞれを適宜に使い分けることで適量の内容物を注出することが可能であり、この構造のものはとくに全ての構成部材がヒンジｈ、ｈ１でつながっているためパーツ数の削減が可能でありコストを低減できるメリットがある。なお、図１〜４、図５において採用されるヒンジｈ、ｈ１は、幅方向の中央に主ヒンジを配し両サイドにスプリングヒンジを配する３点ヒンジ形式のものや、幅方向の中央にスプリングヒンジを、その両サイドに主ヒンジを配する３点ヒンジ形式のもの、あるいはスプリングヒンジのみまたは主ヒンジのみを配したタイプのもの等公知の様々な構造になるヒンジが採用できる。
【００２０】
本発明では、流動性を有する調味料を入れる容器を例にとって説明したが、内容物は調味料のみに限定されるものではなく、また、充填される内容物の粘度も低粘度から高粘度にわたる広範囲の内容物に対応可能である。
【００２１】
【発明の効果】
本発明によれば、面積の異なる開口部分を通して選択的に内容物を注出することが可能であり、状況に応じた適量注出により使い勝手が格段に改善される。
【００２２】
また、注出栓を容器の口部でアンダーカットによって係合させたものにおいては、切込みを設けることにより分別用タブを引くだけで係合手段（嵌合突条）の一部または全部を切り離すことができ注出栓を容器から簡単に取り外すことが可能なので、分別廃棄が簡便になる。
【図面の簡単な説明】
【図１】本発明に従う注出栓の実施の形態を示した図である。
【図２】図１に示した注出栓の外観斜視図である。
【図３】図１に示した注出栓において仕切り壁を取り去った状態を示した図である。
【図４】内容物の注出状況を示した図である。
【図５】本発明に従う注出栓の他の実施の形態を示した図である。
【符号の説明】
１  基体
１ａ  注出口
２  仕切り壁
２ａ  プルリング
３  蓋体
４  吐出口
５  オーバーキャップ
５ａ  凸部
６  分別用のタブ
６ａ  切込み
７  上蓋
ｃ  係合手段（嵌合突条）
ｈ  ヒンジ
ｈ１  ヒンジ
【図１】
2005041506.tif 000003
【図２】
2005041506.tif 000004
【図３】
2005041506.tif 000005
【図４】
2005041506.tif 000006
【図５】
2005041506.tif 000007